(57)【要約】【課題】改良されたモーターサイクルのウインカ制御装置を提供する。【解決手段】ケース１の前面開口に操作ボタン２と押しボタンロッド２４を設け，ケース１の内部に操作部ケース３を取り付け、操作部ケース３内部に操作ボタンにより左右にスライドするスライダ４を設け、操作部ケース３の裏蓋部材に左右のウインカ接点８４、８５と，細長いシーソー部材収納溝８２を設け、シーソー部材７を取り付け、操作ボタン２が左右何れかにスライドしたとき、操作ボタン２と共に移動位置にスライドしたスライダ４がこのシーソー部材７によりロックされ、押しボタンロッド２４が押圧されたとき，このロックが解除され、スライダ４が中立位置に戻るように構成する。【選択図】図１
2004095374.tif 000002
【特許請求の範囲】
【請求項１】
下記の構成要素，即ち、
ａ）　押しボタンロッド（２４）。
ｂ）　内部に押しボタンロッド（２４）が所定範囲でスライド自在に挿通される貫通孔（２９）が設けられ、端部に突起縁（２２、２３）を有する突起を備えた操作ボタン（２）。
ｃ）　　操作ボタン（２）と、押しボタンロッド（２４）の間に介挿され、押しボタンロッド（２４）を外方に押し出すよう弾性力を与えるばね（２６）。
ｄ）　前面に設けた開口（１２）に、操作ボタン（２）が挿通され、左右にスライド自在に取り付けられるケース（１）。
ｅ）　ケース（１）と、操作ボタン（２）の間に介挿され、操作ボタン（２）を常時中立位置に保持するよう弾性力を与える復元ばね（１３）。
ｆ）　　中央に操作ボタン（２）の突起が左右動自在に挿通される開口（３１）を有し、ケース（１）の内部に取り付けられる操作部ケース（３）。
ｇ）　中央に操作ボタン（２）の突起が左右動自在に挿通される開口（４１）を有し、後背部に一対の接点部材（５、６）が取り付けられ、操作部ケース（３）の内部に、操作ボタン（２）の左右スライドに応じて、左右動自在に保持されるスライダ（４）。
ｈ）　操作部ケース（３）と、スライダ（４）の間に介挿され、スライダ（４）に、それを常時中立位置に向かって押圧する弾性力を作用させる復元ばね（４６、４７）。
ｉ）　　操作ボタン（２）の左右スライドに応じて、接点部材（５、６）の何れか一方により選択的に導通される右左各一対のウインカ用接点（８５、８６）と、細長いシーソー部材収納溝（８２）とを有し、操作部ケース（３）の背面に取り付けられその背面開口を閉塞する裏蓋部材（８）。
ｊ）　前面側の両端部及び中心線の両側に合計４個の制御突起（７１、７２、７６、７７）を有し、裏蓋部材（８）のシーソー部材収納溝（８２）内に、押圧ばね（７５）により弾性的に支持され、かつ、操作ボタン（２）の突起の先端に押し付けられた状態で、常時は部分的に、かつ押し込み可能に収納されるシーソー部材（７）。
とから成り、操作ボタン（２）の左右スライドに応じて、スライダ（４）が左右何れかに移動したときは、シーソー部材（７）がその制御突起（７１、７６又は７２、７７）によりスライダ（４）をその移動位置にロックし、操作ボタン（２）が中立位置に戻った後も、スライダ（４）をその移動位置に保持して、対応するウインカ接点（８４又は８５）の導通を維持すると共に、押しボタンロッド（２４）が押されたときは、押しボタンロッド（２４）の先端に押されて、シーソー部材（７）が収納溝（８２）内に押し込まれ、上記スライダ（４）のロックが解除され、スライダ（４）が中立位置に復帰するよう構成されたモーターサイクルのウインカ制御スイッチ装置。
【発明の詳細な説明】
【０００１】
【発明の属する技術分野】
本発明はモーターサイクルのウインカ制御スイッチ装置に関する。
【０００２】
【従来の技術】
生活水準の向上に伴い、消費者は製品に対して快適性、利便性、安全性を強く要求するようになっていることから、人口密度が日増しに増加する今日において、とりわけ大都市部では、モーターサイクルは、場所を取らず駐車が便利であるという長所により、有効かつ便利で安全に人類の「行動」の問題を解決するものとして、重要な地位を占めている。このことから、モーターサイクル業者は消費者の購買欲を刺激するため、モーターサイクルの各部部材に対して思考を凝らし改良を行うことで、製品の品質を向上し、更に利便性、実用性および安全性を増進することで、消費者を捉えようとしており、同時に、これはまた産業の進歩を刺激する動力にもなっている。本発明はすなわちモーターサイクルのウインカ制御スイッチに対して改良を行うものである。まず従来の同類製品に対して検討してみる。
尚、本明細書で、前後左右上下と言うときは、図１に示したケース１の正面に向かって、前後左右上下と言うものとする。
【０００３】
現在、市販されているモーターサイクルのウインカ制御スイッチは、すでに初期の左、中間、右の三段階スライドスイッチから単に左、右のみスライドの二段階式にまで進歩しており、ウインカの点滅を制御するとともに、プッシュボタン式で電源回路を遮断するようになっている。つまり、プッシュボタンを押し下げなければ、ウインカは引続き点滅を続けるようになっている。これは運転者の不用意な操作でウインカが消灯してしまうことを防止するために設けられたものであって、従来の製品の構造は図５に示すとおり、このタイプのウインカはホーンと一電子部材を共用している。
図５を参照されたい。改良後のウインカスイッチはケース内に一つの電子部品を設けるとともに、ウインカとブザーとの電線をそれぞれはんだ溶接するものである。
当該電子部品はスライダＡを備え、スライダＡの上面の一対の接点は、左右スライドの際にちょうど左または右ウインカの電気回路を導通状態にさせる。スライダＡはテーパ状斜面Ａ１を形成する。ウインカスイッチの押し軸ＢはビスＢ１によってねじ止めされると共に、二つのストッパＢ２はテーパ状斜面Ａ１に当接する。押し軸ＢはビスＢ１によって取り付けられると共に、二つのストッパＢ２がテーパ状斜面Ａ１に当接することで、スライダＡをスライドさせる。押し軸Ｂの底部は鋼球Ｂ３と復元ばねＢ４であり、両者は収納空間Ｃ内に収納されるとともに、鋼球Ｂ３を押し軸Ｂの底部凹面Ｂ５内に当接させる。ホーン部分は本発明の範疇とは関係ないので、記載しない。
【０００４】
図６に示すように、押し軸Ｂが操作されたとき、押し軸ＢのストッパＢ２はテーパ状斜面Ａ１に当接し、スライダＡをスライド移動させウインカ回路を導通状態にする。図７に示すように、導通を切断しウインカを停止させたい場合、押し軸Ｂを押下する。図８に示すように、押し軸Ｂを鋼球Ｂ３とばねＢ４に押圧させた後に、同じく図９に示すように、押し軸ＢのストッパＢ２がスライダＡを中間位置にスライド復帰させるとともに、電流回路が遮断される。そして、このウインカ制御装置の四大欠点は以下のとおりである。
【０００５】
まず、この材料の組合せは全体を摩耗、破損しやすくし、接触不良を招く。押し軸は鉄材であり、その底部の鋼球、復帰ばねの収納空間はプラスチックスであるため、頻繁に操作すると、押し軸が収納空間を摩耗させ徐々に拡大し、接触不良を招く。
【０００６】
次に、押し軸はわずかに一本のビスのみで取り付けられており、ある程度の時間使用すると、ビスは弛緩しやすくなり、作動の不正確を招く。
【０００７】
そして、全体を組付ける際、ケースの接合度が悪く、隙間が残り、雨水の浸透に遭うと電線配線のショートを招く。
【０００８】
最後に、ウインカとホーンとは一つの電子部品を共用するため、その一つが故障したときには全体を分解しなければならず、点検・修理が不便である。
【０００９】
従来のモーターサイクルのウインカ制御装置には以上のような欠点がある。
【００１０】
【発明が解決しようとする課題】
本発明者は従来製品に対して改良を施すものである。本発明の目的は、モーターサイクルのウインカ制御装置を一体に構成し、組立て、交換が容易であるのみならず、全体がプラスチックスで製造されていることから、摩耗、破損しにくく、使用寿命が長いモーターサイクルのウインカ制御装置を提供しようとすることである。以下、図面により詳細な説明を行う。
【００１１】
【課題を解決するための手段】
叙上の本発明の目的は、下記の構成要素，即ち、
ａ）　押しボタンロッド（２４）。
ｂ）　内部に押しボタンロッド（２４）が所定範囲でスライド自在に挿通される貫通孔（２９）が設けられ、端部に突起縁（２２、２３）を有する突起を備えた操作ボタン（２）。
ｃ）　　操作ボタン（２）と、押しボタンロッド（２４）の間に介挿され、押しボタンロッド（２４）を外方に押し出すよう弾性力を与えるばね（２６）。
ｄ）　前面に設けた開口（１２）に、操作ボタン（２）が挿通され、左右にスライド自在に取り付けられるケース（１）。
ｅ）　ケース（１）と、操作ボタン（２）の間に介挿され、操作ボタン（２）を常時中立位置に保持するよう弾性力を与える復元ばね（１３）。
ｆ）　　中央に操作ボタン（２）の突起が左右動自在に挿通される開口（３１）を有し、ケース（１）の内部に取り付けられる操作部ケース（３）。
ｇ）　中央に操作ボタン（２）の突起が左右動自在に挿通される開口（４１）を有し、後背部に一対の接点部材（５、６）が取り付けられ、操作部ケース（３）の内部に、操作ボタン（２）の左右スライドに応じて、左右動自在に保持されるスライダ（４）。
ｈ）　操作部ケース（３）と、スライダ（４）の間に介挿され、スライダ（４）に、それを常時中立位置に向かって押圧する弾性力を作用させる復元ばね（４６、４７）。
ｉ）　　操作ボタン（２）の左右スライドに応じて、接点部材（５、６）の何れか一方により選択的に導通される右左各一対のウインカ用接点（８５、８６）と、細長いシーソー部材収納溝（８２）とを有し、操作部ケース（３）の背面に取り付けられその背面開口を閉塞する裏蓋部材（８）。
ｊ）　前面側の両端部及び中心線の両側に合計４個の制御突起（７１、７２、７６、７７）を有し、裏蓋部材（８）のシーソー部材収納溝（８２）内に、押圧ばね（７５）により弾性的に支持され、かつ、操作ボタン（２）の突起の先端に押し付けられた状態で、常時は部分的に、かつ押し込み可能に収納されるシーソー部材（７）。
とから成り、操作ボタン（２）の左右スライドに応じて、スライダ（４）が左右何れかに移動したときは、シーソー部材（７）がその制御突起（７１、７６又は７２、７７）によりスライダ（４）をその移動位置にロックし、操作ボタン（２）が中立位置に戻った後も、スライダ（４）をその移動位置に保持して、対応するウインカ接点（８４又は８５）の導通を維持すると共に、押しボタンロッド（２４）が押されたときは、押しボタンロッド（２４）の先端に押されて、シーソー部材（７）が収納溝（８２）内に押し込まれ、上記スライダ（４）のロックが解除され、スライダ（４）が中立位置に復帰するよう構成されたモーターサイクルのウインカ制御スイッチ装置によって達成される。
【００１２】
図１を参照されたい。
適宜に開口１２を設けたケース１の内部に、中空で、前面に開口３１を有する操作部ケース３を設け、開口１２には操作ボタン２を挿入する。
ケース１と操作ボタン２の互いの密着面には各々ばね収納溝１１、２１を設けるが、これは、この溝内に復元ばね１３を装着し、これにより操作ボタン２を中立位置に保持するためのものである。
操作ボタン２は貫通孔２９を有する突起２８を有し、突起２８の中間部には左右に突起縁２２、２３が設けられる。貫通孔２９にはばね２６と押しボタン２４の脚部を挿入し、操作ボタン２の突起を上下に貫通しているピンガイド用の長孔を通して押しボタン２４のピン孔にピン２５を打ち込み、押しボタン２４の脚が操作ボタン２の貫通孔２９内で一定距離スライドできるように押しボタン２４を装着する。操作ボタン２をケース１の開口１２の内部に挿入し、コの字形ストッパ２７を突起縁２２、２３に掛かるよう取り付け、操作ボタン２をケース１に一定距離左右にスライド自在に取り付ける。
【００１３】
操作部ケース３は、前後に貫通する開口を有する中空のケースであり、その前面には開口３１が設けられ、内壁の両短辺中段に各々位置決め突起３２、３３が形成され、内部にはスライダ４が収納される。
スライダ４は、長方形状の枠体であり、その両外側の側面には、操作部ケース３の位置決め突起３２、３３に対応する位置に、各々凹孔４４、４５が設けられ、当該凹孔４４、４５と位置決め突起３２、３３の間にはそれぞれ々復元ばね４６、４７が設けられる。
更に、凹孔４４、４５の一側面には、シーソー部材７の制御突起７１、７２、の係止に供される凹面を成した切り欠き４４１、４５１が設けられる。
又更に、スライダ４には２組の貫通孔４８、４８及び４９、４９が設けられ、貫通孔４８、４８及び４９、４９の間には各々３つの溝が設けられ、中間の溝にはいずれにも小型ばね５３、６３が装着されている。左側の貫通孔４９、４９の中間の孔はスライダ４の摩擦抵抗を低減するためのものであり、またこの孔を貫通し、小鋼球６４が配置されている。
【００１４】
２組の貫通孔４８、４８及び４９、４９の両側面には、コの字形部材５、６の係止爪５１、６１の係止に供される段差面（図示しない）が各々形成され、かつ各コの字形部材５、６の外側面には、別に接点突起５２、６２が設けられ、小型ばね５３、６３の弾性力により、裏蓋部材８上の左右のウインカ接点８４、８５と互いに接触する。
裏蓋部材８の両端に設けた係合爪８１、８１を操作部ケース３の両側に設けた係合スリット３４、３４に係合することによって、操作部ケース３と裏蓋部材８は一体のケースを形成する。
また裏蓋部材８には、細長いシーソー部材７を収容するシーソー部材収納溝８２が設けられ、その中央部には、シーソー部材７の中央に突出する支点部７３及びその上下に設けられた位置決めピン７４、７４が嵌め込まれるシーソー部材支持孔８３が設けられ、ここに押圧ばね７５を介してシーソー部材７１が収納される。
【００１５】
シーソー部材７は、このシーソー部材収納溝８２の内部で、ばね７５によりその支点部７３が弾性的に支持されるため、その支点部７３を中心に揺動可能である。又、その際、位置決めピン７４、７４は、シーソー部材７の位置決め作用をする。
シーソー部材７の前面には、両端部と、中心線の両側の合計４箇所に制御突起７１、７２及び７６、７７を設ける。これらの制御突起には、制御作動を円滑にするため、面取りを施すことが望ましい。
図２ないし５に示すように、このシーソー部材７の制御突起７６、７７は、操作ボタン２と共に左右に移動する押しボタンロッド２４の先端に接しており、操作ボタン２の左右動により、シーソー運動を強制されるものである。
又シーソー部材７は押圧ばね７５の弾性力でスライダ４に押し付けられており、そのスライダ４を一時的に固定する。
【００１６】
図２は、ウインカ制御装置が中立状態にあるときの状態を示す。
シーソー部材７の４つ制御突起７１、７２及び７６、７７は各々異なる機能を有する。
シーソー部材７の両端に配置された制御突起７１、７２は、操作ボタン２が左方向（右方向でも同様）に操作されたとき、突起縁２３がスライド面４３に当接し、スライダ４が左方向にスライドし、凹孔４４側壁上の係止部材４４１（図３を参照のこと）を制御突起７１の左に移動させ、さらに押圧ばね７５の弾性力の作用により、シーソー部材７の制御突起７１を上方向に移動させ係止部材４４１へ係止することで、その効果を奏する。
また、シーソー部材の制御突起７３、７４は、操作ボタン２の押しボタンロッド２４を押し下げたとき、押しボタン２４の端面２４１と互いに接触する面であり、端面２４１の当接により、シーソー部材７を裏蓋部材８中に押し込み、スライダ４の中立復帰の目的を果たす。このとき、制御突起７３、７４の２つの斜面７６、７７は、操作した操作ボタン２を復元ばね１３により、速やかに定位置に復帰させ、かつ操作ボタン２の２２の右方向当接により、制御突起上の斜面７６１を、下方向に押圧し裏蓋部材８内に押し込むことで、制御突起７１と係止部材４４１（図３を参照のこと）との分離、スライダ４の復帰を促進するとともに、他方向のウインカの直接的な切換を直に行い、そして操作ボタン２中の押しボタンロッド２４を押すことなく、速やかなウインカの切換を可能とする。
【００１７】
組立ての際は、まず操作ボタン２に、押しボタン２４を取り付け、その組立体をケース１の開口１２に挿入するとともに、コの字形ストッパ２７で固定し、操作部ケース３をケース１内にねじ止めすると共に、操作部ケース３内にスライダ４を配置し、凹孔４４、４５と位置決め突起３２、３３の間に復元ばね４６、４７を配置する。２組の貫通孔４８、４８及び４９、４９部分に各々小型ばね５３、６３およびコの字部材５、６を設ける。そのうち、貫通孔４９の中溝には別に小鋼球６４を挿入し、また裏蓋部材８のシーソー部材収納溝８２およびシーソー部材支持孔８３に押圧ばね７５を介して、シーソー部材７を取り付けた後、裏蓋部材８両側の系合爪８１を、操作部ケース３両短壁の係合スリット３４、３４中に嵌入することにより、完成品、つまり、本発明の図２に示す構造の通りのウインカ制御装置が得られる。
【００１８】
【発明の作用】
図２はウインカの未点灯状態を示す断面図、図３は操作ボタン２を左方向にスライド移動させた状態（右方向も同様）を示す断面図である。
操作ボタン２を左方向に移動させたとき、スライダ４は操作ボタン２の左突起縁２２へのスライド力を受け、その左方に示す作動線上にまでスライド移動される。このとき凹孔側壁上の係止部材４４１はすでに制御突起７１の左まで移動していることから、さらに押圧ばね７５の弾性力の作用により、シーソー部材７上の係止突起７１を上方向に係止部材４４１に係止させ、そしてスライダ４を一時的に位置決めすると共に、コの字形部材６上の突起接点６２（図１を参照されたい）が裏蓋部材８上の２つの左ウインカ接点８５に接触し、導通状態が構成され、左ウインカを点滅させる。
【００１９】
ウインカ表示をキャンセルしたい場合、図４に示すとおり、操作ボタン２の押しボタンロッド２４を押し、その下端２４１をシーソー部材７の制御突起７３に当接させると、制御突起７３が押圧力を受け、シーソー部材７が下降し、スライダの凹孔４４の壁側が係止部材４４１に係止する。シーソー部材７の制御突起７１の係止がないことから、スライダ４はコの字部材６（図１を参照されたい）と共に復元ばね４７の弾性力作用を受け、作動前の初期状態に復帰する。
【００２０】
【発明の効果】
上記を総合すると、本発明の主な特徴および長所を以下のように総括できる。まず、ケース１は密封ケースであるので、よって雨が降っても雨水が浸入することによるショートの不具合を招くことはない。
【００２１】
つぎに、各作動要素はいずれもプラスチックスであるので、潤滑油を併せ用いれば、摩擦が少なく、部品の作動は的確である。
ウインカとホーンなどその他ボタンは各自独立した配線であるので、故障の際でも、単に当該部分に対して点検、修理するのみで足り、全体を分解する必要はなく、便利である。
最後に、全体は大きく２つのユニット（ケースのプッシュボタンとケース）とに分かれるので、破損した場合には、直に交換することができ、その内部の小型部品を交換する必要はないため、組立てが容易である。
【００２２】
尚、本発明の構成は叙上の実施例と示した構成に限定されるものでなく、各構成要素の形状、構成は自由に設計変更し得るものであって、本発明は叙上の説明から当業者が容易に想到し得る総ての変更例を包摂するものである。
【図面の簡単な説明】
【図１】本発明に係るウインカ制御装置の立体分解図である。
【図２】本発明に係るウインカ制御装置の組立て概略図である。
【図３】本発明に係るウインカ制御装置の動作説明図（一）である。
【図４】本発明に係るウインカ制御装置の動作説明図（二）である。
【図５】従来技術に係るウインカ制御装置の概略図である。
【図６】従来技術に係るウインカ制御装置の動作説明図（一）である。
【図７】従来技術に係るウインカ制御装置の動作説明図（二）である。
【図８】従来技術に係るウインカ制御装置の動作説明図（三）である。
【図９】従来技術に係るウインカ制御装置の動作説明図（四）である。
【符号の説明】
１　　　　　ケース
１１　　　　ばね収納溝
１２　　　開口
１３　　　　　　復元ばね
２　　　　　　操作ボタン
２１　　　　　　ばね収納溝
２２　　　　　　突起縁
２３　　　　　　突起縁
２４　　　　　　押しボタンロッド
２５　　　　　　ピン
２６　　　　　　ばね
２７　　　　コの字形ストッパ
２８　　　　　　傾斜面
２９　　　　　　貫通孔
３　　　　操作部ケース
３１　　　　　　開口
３２　　　　位置決め突起
３３　　　　　　位置決め突起
３４　　　　　　係合スリット
４　　　　スライダ
４１　　　　　　開口
４４　　　　　　凹孔
４５　　　　凹孔
４４１　　　　係止部材
４６　　　　復元ばね
４７　　　　　　復元ばね
４８　　　　　　貫通孔
４９　　　　　　貫通孔
５　　　　　　コの字形部材
６　　　　　　コの字形部材
５１　　　　　　係止爪
６１　　　　　　係止爪
５２　　　　　　突起接点
６２　　　　　　突起接点
５３　　　　　　小型ばね
６３　　　　　　小型ばね
６４　　　　　　小鋼球
７　　　　　　シーソー部材
７１　　　　　　制御突起
７２　　　　　　制御突起
７３　　　　　　制御突起
７４　　　　　　ピン
７５　　　　　　押圧ばね
７６　　　　　　制御突起
７６１　　　　斜面
８　　　　　　裏蓋部材
８１　　　　　　係合爪
８２　　　　　　シーソー部材収納溝
８３　　　　　　シーソー部材支持孔
８４　　　　　　左ウインカ接点
８５　　　　　　右ウインカ接点
【図１】
2004095374.tif 000003
【図２】
2004095374.tif 000004
【図３】
2004095374.tif 000005
【図４】
2004095374.tif 000006
【図５】
2004095374.tif 000007
【図６】
2004095374.tif 000008
【図７】
2004095374.tif 000009
【図８】
2004095374.tif 000010
【図９】
2004095374.tif 000011